【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
内室を画定する管状の弁本体であって、内部に設けられた第１、第２、第３、第４の連通口を含む弁本体と；
第２、第３、第４の連通口から選択可能な一対の連通口間に流路を備えるチャネルを画定する弁部材であって、前記チャネルを複数の下位チャネルに分割する分流器を含み、前記第２、第３、第４の連通口に近接し、前記第２、第３、第４の連通口に対して移動可能な弁部材と；
前記弁本体内部で往復移動可能で、前記弁部材と係合するアクチュエーターとを備える逆転弁であって；
前記アクチュエーターが第１の位置に移動すると、前記チャネルは第２および第３の連通口と交わって第２および第３の連通口間の流体連通を生じさせると同時に、内室を介する第１および第４の連通口間の流体連通を可能にし；
前記アクチュエーターが第２の位置に移動すると、前記チャネルは第２および第４の連通口と交わって第２および第４の連通口間の流体連通を生じさせると同時に、内室を介する第１および第３の連通口間の流体連通を可能にする；
逆転弁。
【請求項２】
前記チャネルは一定の長さと幅を有し、前記弁部材内部に流表面を画定し、前記分流器は、実質的に前記チャネル内に配置され、略前記チャネルの幅一杯に延在するウェブであって、前記流表面から全体的にオフセットされていて、前記チャネルを第１と第２の下位チャネルに分割するウェブを含む；
請求項１に記載の逆転弁。
【請求項３】
前記流表面は前記チャネルの長さにわたって湾曲し、前記ウェブは前記流表面と形状が略対応する；
請求項２に記載の逆転弁。
【請求項４】
前記分流器は、実質的に前記第２の下位チャネル内に配置され、前記第２の下位チャネルを第２および第３の下位チャネルに分割する第２のウェブであって、前記第１のウェブと形状が略対応し、前記第１のウェブから全体的にオフセットされている第２のウェブを含む；
請求項３に記載の逆転弁。
【請求項５】
前記弁部材は一つの面を画定する剛体の弁ブロックを含み、前記チャネルは前記面に配設され、前記流表面は前記弁ブロックの長手方向に沿って延在する；
請求項２に記載の逆転弁。
【請求項６】
前記分流器は前記弁ブロックとは別体に形成されて、前記チャネルに挿入され、前記分流器は更に、第１の脚部と第２の脚部を含み、前記ウェブは前記第１および第２の脚部の間に延在する；
請求項５に記載の逆転弁。
【請求項７】
前記弁ブロックは、前記チャネル内に突出する肩部を含み、前記分流器は、前記第１の脚部と前記肩部とのスナップかみ合いによって前記弁ブロックに固定される；
請求項６に記載の逆転弁。
【請求項８】
前記弁部材は更に、前記面に近接する位置に前記チャネルの前記幅一杯に延在する支持棒を含み、前記分流器は前記支持棒によって前記弁ブロックに固定される；
請求項６に記載の逆転弁。
【請求項９】
前記分流器は、溶接、はんだ付け、圧入、または接着剤による接着からなるプロセスによって弁ブロックに固定される；
請求項６に記載の逆転弁。
【請求項１０】
前記弁ブロックは前記チャネル内に突出する傾斜した突起を含み、前記分流器は前記第１の脚部を通って配設される穴を含み、前記分流器は前記傾斜した突起を前記穴に受容させることで前記弁ブロックに固定される；
請求項６に記載の逆転弁。
【請求項１１】
前記弁ブロックは前記チャネルの両側部分の前記流表面に配設された第１の溝と第２の溝を含み、前記分流器の前記ウェブは第１の縁と反対側の第２の縁を含み、前記第１および第２の縁はそれぞれ前記第１および第２の溝に受容される；
請求項５に記載の逆転弁。
【請求項１２】
前記弁ブロックと前記分流器は一体的に成形される；
請求項５に記載の逆転弁。
【請求項１３】
前記第２、第３、第４の連通口は、前記第２の連通口が前記第３と第４の連通口の間にあって一列に整列している；
請求項２に記載の逆転弁。
【請求項１４】
前記チャネルの長さは、前記アクチュエーターが前記第１の位置にあるときには前記第２の連通口と第３の連通口と完全に交わり、前記アクチュエーターが前記第２の位置にあるときには前記第２と第４の連通口と完全に交わるような十分な大きさを持つ；
請求項１３に記載の逆転弁。
【請求項１５】
前記弁部材は外殻からなる弁ブロックを含み、前記チャネルは前記外殻内に形成されている；
請求項２に記載の逆転弁。
【請求項１６】
前記分流器は前記弁ブロックとは別体に形成されて前記チャネルに挿入され、前記分流器は更に第１の脚部と第２の脚部を含み、前記ウェブは前記第１および第２の脚部の間に延在する；
請求項１５に記載の逆転弁。
【請求項１７】
前記分流器は、本質的に、ろう付け、溶接、はんだ付け、または接着剤による接着からなるプロセスによって前記弁ブロックに固定される；
請求項１６に記載の逆転弁。
【請求項１８】
前記弁ブロックは、前記チャネルから前記外殻へと配設された切込みを含む；
請求項１６に記載の逆転弁。
【請求項１９】
前記分流器の前記第１の脚部は、前記第２の脚部とは反対の方向に突出するかえしを含み、前記かえしが前記切込みに受容されるように前記分流器は前記チャネルに挿入される；
請求項１８に記載の逆転弁。
【請求項２０】
前記弁ブロックは金属材料を含む；
請求項５に記載の逆転弁。
【請求項２１】
前記弁ブロックは成形プラスチックを含む；
請求項５に記載の逆転弁。
【請求項２２】
前記分流器は成形した金属を含む；
請求項１に記載の逆転弁。
【請求項２３】
前記分流器は成形プラスチックを含む；
請求項１に記載の逆転弁。
【請求項２４】
前記管状の弁本体は、筒状の側壁を含み、前記第１、第２、第３、第４の連通口は前記側壁を通って配設され、前記第１の連通口は前記第２、第３、第４の連通口とは反対側に設けられている；
請求項１に記載の逆転弁。
【請求項２５】
前記第２、第３、第４の連通口は、前記第２の連通口が前記第３と第４の連通口の間に位置して前記側壁の軸長手方向に沿って整列している；
請求項２４に記載の逆転弁。
【請求項２６】
それぞれ前記第１、第２、第３、第４の連通口と連通し、前記弁本体から全体的に離れる方向に延在する第１、第２、第３、第４の流管を更に備える；
請求項２５に記載の逆転弁。
【請求項２７】
前記アクチュエーターを前記第１の位置と前記第２の位置との間で駆動するパイロット弁を更に備える；
請求項２６に記載の逆転弁。
【請求項２８】
弁本体内で第１と第２の位置の間を往復移動して、前記弁本体を通って配設され一列に並んだ第１、第２、第３の連通口の間での流体連通を生じさせるようになされた弁部材であって：
一つの面を画定する弁ブロックと；
前記面に設けられ、内側の流表面を画定するチャネルであって、一定の長さと幅を持ち、前記長さは、前記弁部材が前記第１の位置にあるときには前記第１と第２の連通口と完全に交わり、前記弁部材が前記第２の位置にあるときには前記第２と第３の連通口と完全に交わるのに十分な長さであるチャネルと；
実質的に前記チャネル内に配置され、前記チャネルを第１と第２の下位チャネルに分割する分流器とを備える；
弁部材。
【請求項２９】
前記分流器は、実質的に前記チャネル内に配置され、前記チャネルの幅の略一杯に延在するウェブを含み、前記ウェブは前記流表面から全体的にオフセットされていて前記チャネルを前記第１と前記第２の下位チャネルに分割する；
請求項２８に記載の弁部材。
【請求項３０】
前記流表面は前記チャネルの長さにわたって湾曲し、前記ウェブは前記流表面と形状が略対応する；
請求項２９に記載の弁部材。
【請求項３１】
前記分流器は実質的に前記チャネル内に前記第１ウェブから全体的にオフセットされて配置された第２のウェブを含み、前記第２のウェブは前記第２の下位チャネルを更に第２と第３の下位チャネルに分割する；
請求項３０に記載の弁部材。
【請求項３２】
流れ方向を１８０度転換させる逆転弁において衝撃を減少させる方法であって：
（ｉ）弁部材であって、一定の長さと幅を有するチャネルで、全長にわたって湾曲するチャネルを含む弁部材を前記逆転弁内に設けることと；
（ｉｉ）前記チャネルの幅の略一杯に延在する分流器を用いて前記チャネルを第１と第２の下位チャネルに分割することとを備える；
方法。
【手続補正２】
【補正対象書類名】明細書
【補正対象項目名】００４７
【補正方法】変更
【補正の内容】
【００４７】
図２３、２４、および２５を参照すると、中にチャネル８１０が設けられた弁ブロック８０２とチャネル８１０内に固定された分流器８２０を含む弁部材８００の別の実施形態が示されている。弁ブロック８０２も、面８０４と流表面８０６を画定する。好ましくは、図示した実施形態では、弁ブロック８０２は成形プラスチックからできている。チャネル８１０を複数の下位チャネル８１２、８１４に分割するため、分流器８２０はまず第１にチャネルの幅一杯に延在するウェブ８２２を含んでいる。更に、ウェブ８２２は形状が流表面８０６およびチャネル８１０と略対応しており、流表面から全体的にオフセットされるようにチャネルの長さ方向の中間辺りに配置されている。